(57)【要約】【課題】保護制御装置の常時監視処理に要する時間を短縮し、かつ、故障箇所の特定を容易にする技術を提供する。【解決手段】保護制御装置（１０００）は、電力系統の監視および保護を行うための監視保護手段（１０）と、監視保護手段（１０）の制御および自装置の故障診断を行う診断手段（２０）とを有している。診断手段（２０）は、第１の診断項目の診断を常時監視として定期的に繰り返し実行し、常時監視で異常と判断された第１の診断項目についての詳細診断の項目である第２の診断項目の診断を行う。【選択図】図１
2013085427.tif 000002
【特許請求の範囲】
【請求項１】
電力系統の監視および保護を行うための監視保護手段と、
前記監視保護手段の制御および自装置の故障診断を行う診断手段とを有し、
前記診断手段は、第１の診断項目の診断を常時監視として定期的に繰り返し実行し、前記常時監視で異常と判断された第１の診断項目についての詳細診断の項目である第２の診断項目の診断を行う、
保護制御装置。
【請求項２】
前記診断手段は、前記電力系統から供給される交流電源の所定電気角の時間内に前記第１の診断項目の常時監視と前記第２の診断項目の詳細診断とを行う、請求項１に記載の保護制御装置。
【請求項３】
前記診断手段は、前記第１の診断項目の常時監視と前記第２の診断項目の詳細診断とを前記所定電気角の時間内に実行するために、前記第２の診断項目の詳細診断を前記交流電源の複数周期に分けて実行する、請求項２に記載の保護制御装置。
【請求項４】
前記診断手段は、前記第１の診断項目の常時監視にて異常を検出すると、前記第１の診断項目の常時監視の実行に関わるハードウェアの詳細診断を、前記第２の診断項目の詳細診断の最初に実行する、請求項１に記載の保護制御装置。
【請求項５】
前記診断手段を実現するプロセッサユニットとシステムバスを介して接続されたメインメモリと、
前記プロセッサの内部に配置された内蔵メモリと、を更に有し、
前記診断手段は、前記メインメモリを用いて前記第１の診断項目の常時監視を行い、前記内蔵メモリを用いて前記第２の診断項目の詳細診断を行う、
請求項１に記載の保護制御装置。
【請求項６】
前記プロセッサユニットとシステムバスを介して接続された、操作表示用コンピュータを接続するためのヒューマンインタフェース通信部と、
前記プロセッサユニットに直接接続された、診断用コンピュータを接続するための診断用通信部と、を更に有し、
前記診断手段は、前記第１の診断項目の常時監視の結果を前記ヒューマンインタフェース通信部から送出し、前記第２の診断項目の詳細診断の結果を前記診断用外部インタフェースから送出する、請求項５に記載の保護制御装置。
【請求項７】
電力系統の監視および保護と、自装置の診断とを行う保護制御装置における診断方法であって、
診断手段が、第１の診断項目の診断を常時監視として定期的に繰り返し実行する第１のステップと、
前記第１のステップの常時監視で異常が検出されると、前記診断手段が、異常と判断された第１の診断項目についての詳細診断の項目である第２の診断項目の診断を行う第２のステップと、を有する診断方法。
【請求項８】
電力系統の監視および保護と、自装置の診断とを行う保護制御装置における診断処理をコンピュータに実行させるための診断プログラムであって、
診断手段が、第１の診断項目の診断を常時監視として定期的に繰り返し実行する第１の手順と、
前記第１の手順の常時監視で異常が検出されると、前記診断手段が、異常と判断された第１の診断項目についての詳細診断の項目である第２の診断項目の診断を行う第２の手順と、をコンピュータに実行させるための診断プログラム。
【発明の詳細な説明】
【技術分野】
【０００１】
本発明は、電力系統の保護制御装置に関し、特に、その保護制御装置の故障診断を行う技術に関する。
【背景技術】
【０００２】
一般的な保護制御装置はハードウェアとソフトウェアを組み合わせて構成される。例えば、保護制御装置として、電流値や電圧値を監視するためのアナログ入力部、リレー等の保護制御を行うための入出力（Ｉ／Ｏ）制御部、各種演算を行うためのＣＰＵ（Ｃｅｎｔｒａｌ  Ｐｒｏｃｅｓｓｉｎｇ  Ｕｎｉｔ）およびメモリを備えた構成のものがある。ＣＰＵがソフトウェアプログラムを実行することにより、電力系統の監視やハードウェア的な保護制御が実行される。また、多くの場合、保護制御装置には更に外部との通信用の通信インタフェースが備えられる。
【０００３】
保護制御装置が故障すると、電力系統や送配電系統に重大な影響が及ぶ可能性があるので、診断によって早期に故障箇所を特定し、復旧させることが求められる。
【０００４】
保護制御装置の故障診断は、ハードウェアの健全性をチェックするためにＣＰＵがソフトウェア処理として常時実行している。処理内容としては、ＣＰＵ自己診断、メモリチェック、不正アドレス監視、マルチＣＰＵ監視などがある。また、故障診断には、外部からのアナログ信号の差電流や差電圧の監視などのようなアナログ監視、入力回路の監視、整定値の照合なども含まれる。
【０００５】
また、保護制御装置に用いられるディジタルリレーでは、単一部品の故障で不要な保護動作が起きないように２重化構成が採られている場合がある。その場合、主系と事故系とで故障検出等のハードウェアが完全に分離された構成も提案されている（特許文献１参照）。
【先行技術文献】
【特許文献】
【０００６】
【特許文献１】特開平２−２２３３２９号公報
【発明の概要】
【発明が解決しようとする課題】
【０００７】
しかしながら、ハードウェアの増大や複雑化に伴って故障診断のソフトウェア処理も増大している。常時監視処理を所定の電気角（一例として３０°）の時間内に収めることが求められるが、それが難しくなっている。
【０００８】
また、ハードウェア構成等に依存して、ある箇所で発生した故障が他の箇所に影響し、複数箇所の故障が同時に検出されることがある。そのような場合に大元の原因となっている故障箇所を特定するのが容易ではなかった。
【０００９】
本発明の目的は、保護制御装置の常時監視処理に要する時間を短縮し、かつ、故障箇所の特定を容易にする技術を提供することである。
【課題を解決するための手段】
【００１０】
上記目的を達成するために、本発明の一態様による保護制御装置は、電力系統の監視および保護を行うための監視保護手段と、前記監視保護手段の制御および自装置の故障診断を行う診断手段とを有し、前記診断手段は、第１の診断項目の診断を常時監視として定期的に繰り返し実行し、前記常時監視で異常と判断された第１の診断項目についての詳細診断の項目である第２の診断項目の診断を行うものである。
【００１１】
また、前記診断手段は、前記電力系統から供給される交流電源の所定電気角の時間内に前記第１の診断項目の常時監視と前記第２の診断項目の詳細診断とを行うものであってもよい。
【００１２】
また、前記診断手段は、前記第１の診断項目の常時監視と前記第２の診断項目の詳細診断とを前記所定電気角の時間内に実行するために、前記第２の診断項目の詳細診断を前記交流電源の複数周期に分けて実行することにしてもよい。
【００１３】
また、前記診断手段は、前記第１の診断項目の常時監視にて異常を検出すると、前記第１の診断項目の常時監視の実行に関わるハードウェアの詳細診断を、前記第２の診断項目の詳細診断の最初に実行することにしてもよい。
【００１４】
また、本発明の保護制御装置は、前記診断手段を実現するプロセッサユニットとシステムバスを介して接続されたメインメモリと、前記プロセッサの内部に配置された内蔵メモリと、を更に有し、前記診断手段は、前記メインメモリを用いて前記第１の診断項目の常時監視を行い、前記内蔵メモリを用いて前記第２の診断項目の詳細診断を行うものであってもよい。
【００１５】
また、本発明の保護制御装置は、前記プロセッサユニットとシステムバスを介して接続された、操作表示用コンピュータを接続するためのヒューマンインタフェース通信部と、前記プロセッサユニットに直接接続された、診断用コンピュータを接続するための診断用通信部と、を更に有し、前記診断手段は、前記第１の診断項目の常時監視の結果を前記ヒューマンインタフェース通信部から送出し、前記第２の診断項目の詳細診断の結果を前記診断用外部インタフェースから送出することにしてもよい。
【００１６】
また、本発明の一態様による、診断方法は、電力系統の監視および保護と、自装置の診断とを行う保護制御装置における診断方法であって、診断手段が、第１の診断項目の診断を常時監視として定期的に繰り返し実行する第１のステップと、前記第１のステップの常時監視で異常が検出されると、前記診断手段が、異常と判断された第１の診断項目についての詳細診断の項目である第２の診断項目の診断を行う第２のステップと、を有するものである。
【００１７】
また、本発明の一態様による診断プログラムは、電力系統の監視および保護と、自装置の診断とを行う保護制御装置における診断処理をコンピュータに実行させるための診断プログラムであって、診断手段が、第１の診断項目の診断を常時監視として定期的に繰り返し実行する第１の手順と、前記第１の手順の常時監視で異常が検出されると、前記診断手段が、異常と判断された第１の診断項目についての詳細診断の項目である第２の診断項目の診断を行う第２の手順と、をコンピュータに実行させるものである。
【発明の効果】
【００１８】
本発明によれば、保護制御装置の常時監視処理に要する時間を短縮し、かつ、故障箇所の特定を容易にする.
【図面の簡単な説明】
【００１９】
【図１】本実施形態による保護制御装置１０００の機能的な構成を示すブロッ図である。
【図２】本実施形態による保護制御装置１０００の動作を示すフローチャートである。
【図３】保護制御装置１０００が二重化された場合の外部接続構成を示す図である。
【図４】本実施例の保護制御装置１０００およびその周辺のシステム構成図である。
【図５】本実施例の保護制御装置１０００におけるＩ／Ｏ通信に関連する部分の構成を示すブロック図である。
【図６】本実施例に係る保護制御装置１０００のソフトウェアによるＣＰＵ処理時間の構成を示す概念図である。
【図７】本実施例における詳細診断の処理を示すフローチャートである。
【発明を実施するための形態】
【００２０】
本発明を実施するための形態について図面を参照して詳細に説明する。
【００２１】
図１は、本実施形態による保護制御装置の機能的な構成を示すブロッ図である。図１を参照すると、保護制御装置１０００は監視保護部１０と診断部２０を有している。
【００２２】
監視保護部１０は、電力系統３を監視および保護の対象とし、Ｉ／Ｏ装置２０００とリレー２の両方あるいは一方を介して電力系統３の監視および保護を行う。
【００２３】
診断部２０は、監視保護部１０を制御して電力系統３の監視や保護を行わせ、また保護制御装置１０００自身の診断を行う。その際、診断部２０は、概要診断項目（第１の診断項目）の診断を常時監視として定期的に繰り返し実行する。そして、診断部２０は、その常時監視で異常と判断された概要診断項目についての詳細な診断の項目である詳細診断項目（第２の診断項目）の診断を行う。
【００２４】
本実施形態によれば、概要診断を定期的に実行し、常時監視で異常が検出されたときに、それに関連する詳細診断を行うので、保護制御装置１０００の常時監視処理に要する時間を短縮し、かつ、詳細な故障箇所の特定を容易にすることができる。
【００２５】
また、診断部２０は、一例として、電力系統３から供給される交流電源の電気角３０°の時間内に、概要診断項目の常時監視と、その常時監視で異常が検出された場合の詳細診断項目の診断とを行う。
【００２６】
その際、診断部２０は、概要診断項目の常時監視と詳細診断項目の診断とを電気角３０°の時間内に実行するために、詳細診断項目の診断を交流電源の複数周期に分けて実行してもよい。常時監視で異常が発生した概要診断項目に関する詳細診断項目だけでも、電気角３０°以内に実行できない場合でも、一周期毎の処理を電気角３０°以内に完了することができる。交流電源は例えば周波数が５０Ｈｚあるいは６０Ｈｚである。
【００２７】
また、診断部２０は、概要診断項目の常時監視にて異常を検出すると、その項目の常時監視の実行に関わるハードウェアの詳細診断を、詳細診断項目の診断の最初に実行することにしてもよい。そうすれば、常時監視の診断結果が信用できるものかどうかを調べ、本当に異常が発生していることを確認してから、詳細診断を行うことができる。
【００２８】
図２は、本実施形態による保護制御装置１０００の動作を示すフローチャートである。診断部２０は、常時監視処理として、電力系統３から供給される交流電力の周期毎に、保護制御装置１０００自身に対する概要診断項目の診断を実行する（ステップＳ１０１）。続いて、診断部２０は、常時監視処理にて異常が検出されたか否か判定する（ステップＳ１０２）。異常が検出されていなければ、診断部２０はステップＳ１０１に戻り、定期的に概要診断項目の診断を実行する。
【００２９】
ステップＳ１０２にて異常が検出されていれば、診断部２０は、その異常が検出された概要診断項目に関連する詳細診断項目の診断を実行し（ステップＳ１０３）、診断結果を出力する（ステップＳ１０４）。
【００３０】
なお、本実施形態の保護制御装置１０００は二重化されていてもよい。図３は保護制御装置１０００が二重化された場合の外部接続構成を示す図である。図３を参照すると、主系の保護制御装置１０００ａと事故系の保護制御装置１０００ｂがある。それらはいずれもＩ／Ｏ装置２０００に接続されている。
【００３１】
通常時には、主系の保護制御装置１０００ａがＩ／Ｏ装置２０００を介して電力系統３の監視および保護を行う。しかし、主系の保護制御装置１０００ａが故障したとき等には、故障した主系の保護制御装置１０００ａに代わり、事故系の保護制御装置１０００ｂが電力系統３の監視及び保護を行う。
【００３２】
保護制御装置１０００ａ、１０００ｂは、それぞれ自装置の常時監視および詳細診断を行う。そして、主系の保護制御装置１０００ａには、ヒューマンインタフェース（ＨＩ）用外部ＰＣ３０００と、診断用外部ＰＣ４０００ａとが接続されている。保護制御装置１０００ａは、概要診断項目の診断結果をＨＩ用外部ＰＣ３０００に出力し、詳細診断項目の診断結果を診断用外部ＰＣ４０００ａに出力する。
【００３３】
一方、事故系の保護制御装置１０００ｂには診断用外部ＰＣ４０００ｂは接続されているが、ＨＩ用外部ＰＣは接続されていない。主系の保護制御装置１０００ａと事故系の保護制御装置１０００ｂは系間通信インタフェース（不図示）で相互に接続されている。事故系の保護制御装置１０００ｂは、概要診断項目の診断結果を、系間通信によって、主系の保護制御装置１０００ａに通知する。主系の保護制御装置１０００ａは、通知された事故系の保護制御装置１０００ａの概要診断項目の診断結果をＨＩ用外部ＰＣ３０００に出力する。また、事故系の保護制御装置１０００ｂは、自装置の詳細診断項目の診断結果については、自身から診断用外部ＰＣ４０００ｂに出力する。
【００３４】
通常時には基本的に保護制御装置１０００ａ、１０００ｂに診断用外部ＰＣ４０００ａ、４０００ｂは接続されていないが、常時監視で得られる概要診断項目の診断結果は主系の保護制御装置１０００ａに接続されたＨＩ用外部ＰＣ３０００に出力される。そのため、主系および事故系の保護制御装置１０００ａ、ｂの概要診断項目の診断結果はＨＩ用外部ＰＣ３０００にて蓄積したり、表示したりすることが可能である。また、一方の系の保護制御装置１０００において概要診断項目で異常が検出された場合、その系の保護制御装置１０００の詳細診断項目の診断結果はその保護制御装置１０００自身に接続された診断用外部ＰＣ４０００に出力される。そのため、故障によって詳細診断項目の診断結果を取得できないという事態をできるだけ避けることができる。
【００３５】
なお、本発明の実施形態による保護制御装置１０００は図１に示した監視保護部１０および診断部２０が行う処理手順を規定したソフトウェアプログラムをコンピュータに実行させることにより実現することができる。
【００３６】
以下、更に、本発明のより具体的な実施例について説明する。
（実施例）
【００３７】
図４は、本実施例の保護制御装置１０００およびその周辺のシステム構成図である。保護制御装置１０００は、物理的には基板およびその基板に搭載されたＩＣ部品で構成されている。Ｉ／Ｏ装置２０００も同様に、基板およびその基板に搭載されたＩＣ部品で構成されている。
【００３８】
図４を参照すると、保護制御装置１０００は、ＣＰＵ１１００、システムバス１２００、メインメモリ１５００、ＨＩ通信部１６００、Ｉ／Ｏ通信部１８００、ＰＣＭ通信部１９００、アナログ入力（ＡＩ）用メモリ１０３０、Ａ／Ｄ変換器１０２０、およびアナログフィルタ１０１０で構成される。
【００３９】
保護制御装置１０００には、外部装置として、ＨＩ用外部ＰＣ３０００、診断用外部ＰＣ４０００、入力変換器５０００、Ｉ／Ｏ装置２０００、およびＰＣＭ通信で対向する他の保護制御装置１０００が接続されている。
【００４０】
ＨＩ用外部ＰＣ３０００は保護制御装置１０００の状態表示や操作を行うためのパーソナルコンピュータである。診断用外部ＰＣ４０００は診断結果の表示や診断の制御を行うためのパーソナルコンピュータである。Ｉ／Ｏ装置２０００は電力系統３のリレー２等への制御入出力を伝達する装置である。入力変換器５０００は電力系統３に内蔵されたセンサ（不図示）の高電圧出力を保護制御装置１０００が扱える電圧レベル（１０Ｖ程度）の信号に変換する。入力変換器５０００からの信号はアナログフィルタ１０１０でフィルタリングされた後、Ａ／Ｄ変換器１０２０でデジタル信号に変換され、ＡＩ用メモリ１０３０に蓄積される。また、保護制御装置１０００同士がＰＣＭ通信で対向し、相互にデータを送受信する。
【００４１】
ＣＰＵ１１００は、ＣＰＵコア、バスコントローラ、ＲＡＭ、ＲＯＭ、通信回路などが内蔵され、１モジュール（１チップ）に収められている。
【００４２】
ＣＰＵ１１００は、電力系統３の交流電力の周期毎に、その電気角３０°の間に常時監視処理を行う。最低限、ＣＰＵ１１００とメインメモリ１５００とＨＩ通信部１６００とシステムバス１２００が健全であれば、正常な常時監視処理が行われるものとして、常時監視処理の結果が有効となる。
【００４３】
また、ＣＰＵ１１００は、常時監視処理で異常が検出された診断項目に関連する詳細診断処理を、交流電力の電気角３０°の間に実行する。詳細診断処理は、メインメモリ１５００を使用せず、ＣＰＵ１１００が内蔵しているＲＡＭおよびＲＯＭのみを使用して実行される。最低限、ＣＰＵ１１００と診断用通信部１７００が健全であれば、正常の詳細診断処理が行われるものとして、詳細診断の結果が有効となる。
【００４４】
常時監視処理の診断結果はＨＩ通信部１６００を介してＨＩ用外部ＰＣ３０００に出力される。一方、詳細診断処理の診断結果は、診断用通信部１７００を介して診断用外部ＰＣ４０００に出力される。詳細診断処理に使用する回路を限定し、また詳細診断処理の結果を専用の診断用通信部１７００を介して診断用外部ＰＣ４０００に出力する構成により、常時監視の結果が得られないときにも、そのバックアップとして詳細診断の結果を表示することが可能である。
【００４５】
図５は、本実施例の保護制御装置１０００におけるＩ／Ｏ通信に関連する部分の構成を示すブロック図である。ここでは常時監視において複数の異常が同時に検出された場合の例として、Ｉ／Ｏ通信とＩ／Ｏ装置２０００におけるＩ／Ｏ回路２２００の監視とにおいて同時に異常が検出された場合について説明する。
【００４６】
図５を参照すると、保護制御装置１０００とＩ／Ｏ装置（基板）２０００が接続されており、シリアルの双方向通信によりＩ／Ｏデータを互いに受渡ししている。
【００４７】
保護制御装置１０００には、ＣＰＵ１１００、Ｉ／Ｏ通信用メモリ１３００、およびＣＰＵ側Ｉ／Ｏ通信用ＩＣ１４００が含まれている。Ｉ／Ｏ通信用メモリ１３００およびＣＰＵ側Ｉ／Ｏ通信用ＩＣ１４００が、図４におけるＩ／Ｏ通信部１８００に相当する。
【００４８】
一方、Ｉ／Ｏ装置（基板）２０００は、Ｉ／Ｏ通信用ＩＣ２１００とＩ／Ｏ側Ｉ／Ｏ回路（Ｉ／Ｏ監視回路）２２００を含んでいる。
【００４９】
ＣＰＵ１１００は、システムバス１２００を介してデータのリード／ライトを実施する。
【００５０】
例えば、ＣＰＵ１１００は、Ｉ／Ｏ通信用メモリ１３００にＩ／Ｏデータをリード／ライトしてＩ／Ｏ装置（基板）２０００に対するＩ／Ｏ制御を実行する。そうすると、ＣＰＵ側Ｉ／Ｏ通信用ＩＣ１４００は、Ｉ／Ｏ通信用メモリ１３００内のＩ／Ｏデータをシリアルデータ化し、Ｉ／Ｏ装置２０００内のＩ／Ｏ側Ｉ／Ｏ通信用ＩＣ２１００に対してシリアル通信で送信する。Ｉ／Ｏ側Ｉ／Ｏ通信用ＩＣ２１００は、受信したＩ／Ｏデータをパラレルデータ化して、Ｉ／Ｏ回路（Ｉ／Ｏ監視回路）２２００に出力する。
【００５１】
例えば、常時監視の診断結果において、メモリ監視とＩ／Ｏ通信とＩ／Ｏ回路の３つの異常が重複して報告された場合、メモリ異常によりＩ／Ｏデータに不良が生じ、不良のＩ／Ｏデータが伝送されることで、異常な状態も伝播され、Ｉ／Ｏ通信とＩ／Ｏ回路も異常状態と診断されたという可能性がある。また、Ｉ／Ｏ通信とＩ／Ｏ回路にも実際に異常が発生しているという可能性もある。したがって、一般的には、複数の異常が同時に検出された場合、実際に異常が発生している箇所を特定することは困難である。また、メモリ異常がＩ／Ｏ通信と無関係なメモリ領域に発生しても異常状態と判断される構成の場合にも実際の不良が発生した部位を特定するのは困難である。
【００５２】
しかし、本実施例では、そのような場合でも、詳細診断として、Ｉ／Ｏ通信用メモリ１３００のリード／ライト、ＣＰＵ側Ｉ／Ｏ通信用ＩＣ１４００の設定値および状態データのリード、Ｉ／Ｏ装置２０００側のＩ／Ｏ側Ｉ／Ｏ通信用ＩＣ２１００の設定値および状態データのリード、Ｉ／Ｏ回路２２００の状態のリードを行い、各部位の状態を取得するようにすれば、常時監視の診断結果だけでは特定できなかった不良部位の特定が可能である。
【００５３】
以下、本実施例における詳細な処理について説明する。
【００５４】
図６は、本実施例に係る保護制御装置１０００のソフトウェアによるＣＰＵ処理時間の構成を示す概念図である。ＣＰＵは、例えば電気角３０°の間に、詳細診断１００、常時監視２００、通信制御３００、Ｉ／Ｏ制御４００、ＲＹ（Ｒｅｌａｙ）制御５００、およびＡＩ（Ａｎａｌｏｇ  Ｉｎｐｕｔ）処理６００を行う。
【００５５】
ＡＩ処理６００は、電力系統から取込んだ電流及び電圧を入力変換器を介してＡ／Ｄ変換でディジタル化したデータをＡＩ用メモリ１０３０から取込み、フィルタ演算処理を処理するものである。
【００５６】
ＲＹ制御５００は、ＡＩ処理６００のフィルタ演算結果からリレー演算及びリレー制御を行うものである。
【００５７】
Ｉ／Ｏ制御４００は、ＲＹ制御の結果からＩ／Ｏ装置２０００に対するＩ／Ｏ入出力の制御を決定し、その制御信号をＩ／Ｏ通信部１８００を介してＩ／Ｏ装置２０００に送信するものである。
【００５８】
通信制御３００は、ＰＣＭ及びヒューマンインタフェース（ＨＩ）の通信制御を行うものである。
【００５９】
常時監視２００は、詳細には、主ＰＣＴ（電圧変成器ＰＴ，電流変成器ＣＴの総称）と制御ケーブルと入力変換器５０００の監視２６０、アナログフィルタ１０１０とＡ／Ｄ変換器１０２０の監視２５０、ＣＰＵ１１００とメインメモリ１５００の監視２４０、ＨＩ通信部１６００の監視２３０、Ｉ／Ｏ通信部１８００とＩ／Ｏ装置２０００の監視２２０、電源（不図示）の監視２１０の処理を含む。常時監視２００は、これらの監視処理を実行し、通信制御３００を介してＨＩ用外部ＰＣ３０００に出力するデータを生成し、更に、監視結果として異常が発生した場合には警報を出力するものである。
【００６０】
詳細診断１００は、常時監視２００で異常が発生した診断項目について、さらに詳細に診断し、詳細診断の結果を診断用外部ＰＣ４０００に出力するものである。
【００６１】
また、ＡＩ処理６００から詳細診断１００までの処理を、ＣＰＵの処理時間である電気角３０°の時間内に収めるために、詳細診断１００では、常時監視２００で異常が発生した項目についての詳細診断の項目が一周期内に収まらない場合、それを複数周期に分けて実行する。
【００６２】
以上、常時監視２００の診断結果で異常があった項目についてだけ詳細診断１００を行うので、一周期に実行する処理を電気角３０°の時間内に収めることができ、かつ詳細な診断結果から故障部位を容易に特定することができる。
【００６３】
図７は、本実施例における詳細診断１００の処理を示すフローチャートである。これはＣＰＵ１１００が詳細診断１００として実行するものである。
【００６４】
まず、常時監視２００の結果として異常が検出されたか否か判定する（ステップＳ２０１）。異常があった場合、次に常時監視２００自体の信頼性を確認し（ステップＳ２０２）、常時監視２００が健全か否か判定する（ステップＳ２０３）。
【００６５】
常時監視の信頼性の確認としては、常時監視２００に関係するＣＰＵ１１００の機能、常時監視２００にて使用されるメモリ領域、およびＨＩ用外部ＰＣ３０００と接続されるＨＩ用のＬＡＮ通信の健全性を確認する。
【００６６】
常時監視２００が健全でない場合は、詳細診断１００の信頼性を確認する（ステップＳ２０４）。詳細診断１００の信頼性の確認としては、詳細診断１００に関係するＣＰＵ１１００の機能、および診断用外部ＰＣ４０００と接続する診断用通信の健全性を確認する。
【００６７】
そして、詳細診断１００が健全であるか否か判定し（ステップＳ２０５）、詳細診断１００が健全でない場合は、完全な重故障が発生した判断する（ステップＳ２０６）。
【００６８】
常時監視２００が健全な場合（ステップＳ２０３のＹｅｓ）、または詳細診断１００が健全な場合（ステップＳ２０５のＹｅｓ）、常時監視２００で異常が検出された項目に限定し、それに関連する詳細診断１００の処理を実行する（ステップＳ２０７）。そして、詳細診断の結果を、診断用通信処理により、診断用外部ＰＣに出力し、表示させる（ステップＳ２０８）。
【００６９】
以上のように、詳細診断１００では、まず最初に常時監視２００の信頼性を確認するので、常時監視２００の結果が信頼できるものか否かに応じて適切な詳細診断１００を行うことができる。
【００７０】
以上、本発明の実施形態および実施例について述べてきたが、本発明は、これらの実施形態あるいは実施例だけに限定されるものではなく、本発明の技術思想の範囲内において、これらを組み合わせて使用したり、一部の構成を変更したりしてもよい。
【符号の説明】
【００７１】
１０…監視保護部、１００…詳細診断、１０００…保護制御装置、１０００ａ…保護制御装置、１０００ｂ…保護制御装置、１０１０…アナログフィルタ、１０２０…Ａ／Ｄ変換器、１０３０…アナログ入力（ＡＩ）用メモリ、１１００…ＣＰＵ、１２００…システムバス、１３００…I／Ｏ通信用メモリ、１４００…Ｉ／Ｏ通信用ＩＣ、１５００…メインメモリ、１６００…ＨＩ通信部、１７００…診断用通信部、１８００…Ｉ／Ｏ通信部、１９００…ＰＣＭ通信部、２…リレー、２０…診断部、２００…常時監視、２０００…Ｉ／Ｏ装置、２１００…Ｉ／Ｏ側Ｉ／Ｏ通信用ＩＣ、２２００…Ｉ／Ｏ回路（Ｉ／Ｏ監視回路）、３…電力系統、３０００…ＨＩ用外部ＰＣ、４０００…診断用外部ＰＣ、４０００ａ…診断用外部ＰＣ、４０００ｂ…診断用外部ＰＣ、５０００…入力変換器、６００…ＡＩ処理
【図１】
2013085427.tif 000003
【図２】
2013085427.tif 000004
【図３】
2013085427.tif 000005
【図４】
2013085427.tif 000006
【図５】
2013085427.tif 000007
【図６】
2013085427.tif 000008
【図７】
2013085427.tif 000009